(57)【要約】  【課題】駐車場の消火設備において、火災車両を確実に覆うことができ、車両火災を消火するのに、効率のよい散布ヘッドの散布範囲を得るようにする。  【解決手段】車両ＭＣが駐車される駐車スペース２が複数並設されてなる駐車場１に設備され、車両ＭＣに水成膜泡消火薬剤を混合した泡水溶液を散布する散布ヘッド１６を有する消火設備であって、前記散布ヘッド１６は、放出口１９から放出される泡水溶液をデフレクタ２２に衝突させて液滴のまま飛散させて駐車スペース２に散布する。  【選択図】  図１ 
2005007197.tif 000002
【特許請求の範囲】
【請求項１】
車両が駐車される駐車スペースが複数並設されてなる駐車場に設備され、前記駐車スペースに駐車される車両に水成膜泡消火薬剤を混合した泡水溶液を散布する散布ヘッドを有する消火設備であって、
前記散布ヘッドは、放出口から放出される泡水溶液を平板状のデフレクタに衝突させて液滴のまま飛散させて前記駐車スペースに散布することを特徴とする駐車場の消火設備。
【請求項２】
前記散布ヘッドのデフレクタは、長方形平板であって、前記駐車スペースのそれぞれの大きさより大きな長方形の散布範囲を形成するものであることを特徴とする請求項１記載の駐車場の消火設備。
【発明の詳細な説明】
【技術分野】
【０００１】
この発明は、駐車場における車両火災を消火するために、該駐車場に設備される駐車場の消火設備に関する。
【背景技術】
【０００２】
従来より、駐車場には、該駐車場に駐車される車両に火災が生じた場合に備えて、消火設備が備えられている。この駐車場における消火設備は、その駐車場の構造に応じて、火災車両に向けて消火剤を散布する散布ヘッド等を適宜配置して設け、車両火災発生の際に該散布ヘッドより消火剤を火災車両に散布して車両火災の消火を行うようになっている。
【特許文献１】なし
【発明の開示】
【発明が解決しようとする課題】
【０００３】
駐車場の消火設備においては、駐車場の構造上、散布ヘッドの設置位置が制限されることがある。特に、機械式駐車場の消火設備においては、駐車場がその構成中に機械的可動部分を有しているので、その可動部分を避けて狭い空間に散布ヘッドを設置しなければならない。
【０００４】
また、従来の駐車場の消火設備においては、個々の散布ヘッドの散布範囲が円形であるために、これら円形の散布範囲を組み合わせても、それにより得られる散布範囲によっては、長方形の車両を消火剤により確実に覆うことは難しく、車両火災を効率よく消火することが難しい。
【０００５】
上記事情に鑑み、この発明は、駐車場の消火設備において、火災車両を消火剤により確実に覆うことができ、車両火災を効率よく消火することができるようにすることである。
【課題を解決するための手段】
【０００６】
上記目的を達成するこの発明について述べれば、次の通りである。
【０００７】
即ち、この発明は、車両が駐車される駐車スペースが複数並設されてなる駐車場に設備され、前記駐車スペースに駐車される車両に水成膜泡消火薬剤を混合した泡水溶液を散布する散布ヘッドを有する消火設備であって、前記散布ヘッドは、放出口から放出される泡水溶液を平板状のデフレクタに衝突させて液滴のまま飛散させて前記駐車スペースに散布することを特徴とする駐車場の消火設備である。
【０００８】
また、この発明は、前記散布ヘッドのデフレクタが、長方形平板であって、前記駐車スペースのそれぞれの大きさより大きな長方形の散布範囲を形成するものであることを特徴とする駐車場の消火設備である。
【発明の効果】
【０００９】
この発明によれば、泡水溶液を液滴の状態で飛散させて散布するので、泡状で飛散させて散布する場合に比べてその飛距離を大幅に伸ばすことができるので、消火範囲を拡大することができ、それにより、火災車両を確実に覆うことができ、車両火災を効率よく消火することができる。
【００１０】
また、この発明によれば、水成膜泡消火薬剤を混合した泡水溶液を液滴の状態で飛散させて散布するので、泡水溶液を火炎の中に直接飛び込ませて燃料の表面に到着させることで、燃料の表面に容易に水成膜を形成することができ、それにより、火災車両を確実に覆うことができ、車両火災を効率よく消火することができる。
【００１１】
また、この発明によれば、散布ヘッドのデフレクタを、長方形平板とし、駐車スペースのそれぞれの大きさより大きな長方形の散布範囲を形成するものとすることで、大きな長方形の散布範囲により火災車両を確実に覆うことができ、車両火災を効率よく消火することができる。
【発明を実施するための最良の形態】
【００１２】
この発明の実施の形態を添付図面に基づき説明をする。尚、同一図面符合はその名称も機能も同一である。
【００１３】
図１〜３に示すように、機械式駐車場１においては、車両ＭＣが駐車される駐車スペース２がパレット２ａ上に形成され、該パレット２ａを複数並設して設けて駐車スペースの列３が形成され、さらに、該駐車スペースの列３が多層に設けられている。なお、駐車スペースの列３の側部には、レール４上を摺動する走行台車５の搬送路が設けられ、又、この搬送路６はエレベータ８の垂直路９に連設されている。
【００１４】
駐車スペース２に駐車される車両ＭＣに消火剤を散布する閉鎖型散布ヘッド１６が、前記駐車スペース２の各々の間２ｂの中央上方にそれぞれ位置して、さらに、前記駐車スペースの列３の両端３ａ、３ｂの中央上方にそれぞれ位置して設けられている。
【００１５】
なお、最上層の駐車スペース２に駐車される車両ＭＣに対しても、消火剤を散布するために、閉鎖型散布ヘッド１６ａを駐車場１の天井面１ａに、前記閉鎖型散布ヘッド１６の設置に位置に倣って設置してある。
【００１６】
この閉鎖型散布ヘッド１６から散布する消火剤の原料としては、泡消火薬剤、例えば、たん白泡消火薬剤や界面泡消火薬剤等を用いてもよいが、本実施形態においては、水成膜泡消火薬剤を用いる。なお、この水成膜泡消火薬剤としては、例えば、「ライトウォーター（商品名−スリーエム社（米国）ほか）」、「メガフォームＦ−６２３（商品名−大日本インキ化学工業株式会社）」等を用いる。これらの泡消火薬剤は、フッ素系界面活性剤の他、起泡安定剤、水溶性高分子、凍結抑止剤等からなり、たん白泡消火薬剤や界面泡消火薬剤に比べ３〜４倍の消火効果を発揮する。
【００１７】
また、この閉鎖型散布ヘッド１６は、図示はしないが、前記水成膜泡消火薬剤と消火用水を混合してなる泡水溶液を散布するための構成を備えた配管系に接続されている。この配管系は、消火用水が収容される水槽や、前記水成膜泡消火薬剤が収容される原液タンクや、消火用水を圧送するためのポンプ、さらには、圧送される消火用水の水圧を調整する圧力調整弁や、消火用水と水成膜泡消火薬剤とを混合する混合器、等により構成されている。
【００１８】
さらに、この閉鎖型散布ヘッド１６は、図４に示すように、前記駐車スペース２の大きさより大きな長方形の散布範囲ＡＲ１、ＡＲ２を有するものである。
【００１９】
この閉鎖型散布ヘッド１６は、前記駐車スペース２の大きさより大きな長方形の散布範囲を有するものであればよいが、本実施形態においては、以下に示すように構成されるヘッドを用いる。
【００２０】
即ち、閉鎖型散布ヘッド１６は、図５〜７に示すように、放出口１９を閉鎖する弁体１８と、該弁体１８を放出口１９に押し付ける熱容量の小さい速動型の火災感知作動部材２０と、アーム２１に固定されたデフレクタ２２とを備えている。
【００２１】
弁体１８は、パッキン２３を介して放出口１９に圧接されている。火災感知作動部材２０は、ガラス管２０ｂと、該ガラス管２０ｂに封入されたアルコール２０ａとからなるグラスバルブで、熱によりアルコール２０ａが膨張すると、ガラス管２０ｂが破損し、弁体１８の支持機能を失う。このときグラスバルブの大きさによって熱応答性が異なり、細型となることによって速動型となる。
【００２２】
デフレクタ２２は、長方形平板で、その中央の衝突部２４の外周部には、案内部２６ａ〜２６ｃ、２８ａ、２８ｂ、及び、スリット２５ａ〜２５ｃ、２７ａ、２７ｂが形成されている。
【００２３】
各スリット２５ａ〜２５ｃ、２７ａ、２７ｂは、それぞれデフレクタ２２の中心Ｏを通る直線上に位置し、隣り合うスリット同士は互いに放射状に配設されている。長方形平板の長辺Ｌ側のスリット２７ａ、２７ｂは、短辺Ｓ側のスリット２５ａ〜２５ｃのそれより短く形成されているが、このスリットの深さや幅は必要に応じて適宜選択される。
【００２４】
該長方形の短辺Ｓ側の案内部２６ａ、２６ｂの先端は、該短辺Ｓ上に位置している。該長方形の長辺Ｌ側の中央部が凹状となっており、中央案内部２８ａ、２８ｂの長さはその両端の対角案内部２６ｃ、２６ｃのそれより短くなっている。これは、該案内部２８ａ、２８ｂの案内方向の飛散距離を抑えるためである。
【００２５】
このデフレクタ２２では、短辺Ｓ側の案内部２６ａ、２６ｂ、及び長辺Ｌ側の対角案内部２６ｃが、長辺Ｌ側の案内部２８ａ、２８ｂより長いので、案内部２６ａ〜２６ｃ方向の飛散距離が案内部２８ａ、２８ｂに比べて長くなり、全体として、長方形の散布範囲を形成する。
【００２６】
なお、２９は、アーム２１にデフレクタ２２とグラスバルブ２０とを取り付けるための固着部材で、この部材２９は、噴霧時にデフレクタ２２上に突出するので、コーンの役割を果たす。
【００２７】
次に、この実施の形態の作動について説明する。
【００２８】
駐車場１に駐車される車両ＭＣに火災が発生すると、その火災による熱気流がパレット２ａの下面まで上昇し、下面に沿って左右に分かれた熱気流をが閉鎖型散布ヘッド１６に至ると、該閉鎖型散布ヘッド１６はその熱気流による熱を受けて、熱容量の小さいグラスバルブ２０ｂ内のアルコール２０ａが膨張してガラス管２０ｂが速く破損するとともに、弁体１８が落下する。これにより、放出口１９が開き、図示しない配管系から供給される消火用水と泡水成膜消火薬剤とを混合してなる泡水溶液を放出する。このように、車両ＭＣからの熱気流は、バレット２ａにより左右に広がり、左右のヘッド１６から消火剤を放出するので、車両ＭＣを効果的に覆うとともに、隣接する車両への火災拡大の防止効果も大きい。
【００２９】
なお、この泡水溶液は、閉鎖型散布ヘッド５１に供給される際に、図示しない配管系における調圧機能により所定圧に調整される。
【００３０】
放出口１９から放出される泡水溶液は、固定部材２９及びデフレクタ２２の衝突部２４に衝突し、案内部により制御されながら飛散する。
【００３１】
このとき、閉鎖型散布ヘッド５１には、起泡手段を設けておらず、かつ、泡水溶液も低発泡性なので、該泡水溶液はほとんど泡立つことがなく液滴の状態で飛散する。そのため、泡状で飛散する場合に比べて大幅にその飛距離を伸ばすことができるので、消火範囲を拡大することができる。
【００３２】
即ち、デフレクタ２２に衝突した泡水溶液は液滴となって直接分散し、案内部２６ａ〜２６ｃ、２８ａ、２８ｂに案内されながら、それぞれ矢印Ｘ方向に飛散するが、各案内部２６ａ〜２６ｃは案内部２８ａ、２８ｂに比べて長いので、その飛距離は前者の方が長く、即ち、遠くまで飛ぶ。
【００３３】
また、スリット２５ａ〜２５ｃ、２７ａ、２７ｂからも泡水溶液が矢印Ｚ方向に落下するが、その飛距離は、前記案内部２６ａ〜２６ｃ、２８ａ、２８ｂに比べて短い。このデフレクタ２２により形成される散布範囲は、図４に示す様に、例えば、斜線で示す散布範囲ＡＲ１、ＡＲ２のように長方形状となり、火災車両ＭＣを、その左右から覆う散布範囲を形成する。なお、散布範囲ＡＲ１、ＡＲ２の両者の間に隙間ができないようにするため、その一部ＡＲ３を重複させるようにしてある。
【００３４】
また、前記の如く閉鎖型散布ヘッド１６より散布される泡水溶液は、火炎の中に直接飛び込み、燃料の表面に到着するので、該燃料の表面には容易に水成膜が形成されるとともに、この水成膜は拡張されて燃料全体を覆い窒息消火させる。この水成膜の広がり方は非常に迅速で、燃料表面の隅々にまで及ぶので、効果的な消火を行うことができる。
【００３５】
なお、この発明は、上記実施形態に限定されるものではなく、上記実施形態は、駐車スペース２を形成するパレット２ａを多層に設けてなる機械式駐車場を例に説明したが、駐車スペースを並設してなる駐車場であれば、平面型の駐車場に、本発明に係る消火設備を設けてもよい。
【００３６】
また、前記閉鎖型散布ヘッド１６に代えて、開放型散布ヘッドを用いてもよい。ただし、この場合には、火災感知ヘッドを適宜位置に設け、対応する選択弁を配管に設ける必要がある。さらに、個々の車両の火災感知が行えれば、その信号に基づいて選択弁を操作してもよい。
【００３７】
また、前記閉鎖型ヘッド１６の設置位置を、前記に代えて、図９に示す様に、閉鎖型ヘッド１６ｂを駐車スペース２の中央直上に設けてもよい。この場合、該閉鎖型ヘッド１６ｂは、パレット２ｂの下面に設けるようにする。これにより、駐車スペース２に対して、散布範囲ＡＲ４の如き散布範囲を得ることができ、駐車スペース２に駐車される車両ＭＣを長方形の散布範囲ＡＲ４により確実に覆うことができる。この配置を前記実施形態と組み合わせ、最上段のみこの配置とすることが、設備として（火災後の復旧時などを含め）に効率的である。
【図面の簡単な説明】
【００３８】
【図１】この発明の駐車場の消火設備を示す平面図である。
【図２】図１のＡ−Ａ線拡大断面図である。
【図３】図１のＢ−Ｂ線縮小断面図である。
【図４】この発明の消火設備における散布ヘッドによる消火剤の散布状況を示す平面図である。
【図５】この発明の消火設備における閉鎖型散布ヘッドの正面図である。
【図６】この発明の消火設備における閉鎖型散布ヘッドのデフレクタの平面図である。
【図７】この発明の消火設備における閉鎖型散布ヘッドの縦断面図である。
【図８】この発明の消火設備における閉鎖型散布ヘッドの散布時の状態を示す縦断面図である。
【図９】この発明の消火設備における散布ヘッドによる消火剤の散布状況を示す平面図である。
【符号の説明】
【００３９】
１  駐車場
２  駐車スペース
２ａ  パレット
２ｂ  間
３  駐車スペースの列
３ａ、３ｂ  駐車スペースの列の両端
１６  散布ヘッド
【図１】
2005007197.tif 000003
【図２】
2005007197.tif 000004
【図３】
2005007197.tif 000005
【図４】
2005007197.tif 000006
【図５】
2005007197.tif 000007
【図６】
2005007197.tif 000008
【図７】
2005007197.tif 000009
【図８】
2005007197.tif 000010
【図９】
2005007197.tif 000011